(57)【特許請求の範囲】
【請求項１】
鉄製の遊技球を遊技盤面上に発射し、発射された遊技球の帰趨によって、賞球としての遊技球を、遊技盤の背後に設けられた遊技球通路を流下せしめて、遊技盤の下方に開口する供給口から払い出す構成であって、
上記遊技球通路を構成する通路部材として、遊技球を貯留する球タンクと、一端で球タンクからの遊技球を受けて他端に向かって遊技球を流すタンクレールと、指令コマンドに応じて所定数の遊技球のみを通過せしめる排出装置に、タンクレールからの遊技球を案内するケースレールとを具備せしめ、これら各通路部材には少なくとも表層部に、導電性成分を含有せしめた弾球遊技機において、
遊技球通路の上流部の通路部材としての上記球タンクおよび上記タンクレールよりも、遊技球通路を流下する遊技球の流下速度が速くなり、通路面に対する遊技球の荷重が大きくなる遊技球通路の下流部の通路部材としてのケースレールほど、上記球タンクおよび上記タンクレールよりも導電性成分の含有量を少なくしたことを特徴とする弾球遊技機。
【請求項２】
鉄製の遊技球を遊技盤面上に発射し、発射された遊技球の帰趨によって、賞球としての遊技球を、遊技盤の背後に設けられた遊技球通路を流下せしめて、遊技盤の下方に開口する供給口から払い出す構成であって、
上記遊技球通路を構成する通路部材として、遊技球を貯留する球タンクと、一端で球タンクからの遊技球を受けて他端に向かって遊技球を流すタンクレールと、指令コマンドに応じて所定数の遊技球のみを通過せしめる排出装置に、タンクレールからの遊技球を案内するケースレールとを具備せしめ、これら各通路部材には導電性成分を含有せしめた弾球遊技機において、
遊技球通路の上流部の通路部材としての上記球タンクおよび上記タンクレールよりも、遊技球通路を流下する遊技球の流下速度が速くなり、通路面に対する遊技球の荷重が大きくなる遊技球通路の下流部の通路部材としてのケースレールを、上記球タンクおよび上記タンクレールよりも耐擦傷性が高く、導電性成分を均質に存在せしめた材料により構成したことを特徴とする弾球遊技機。
【請求項３】
鉄製の遊技球を遊技盤面上に発射し、発射された遊技球の帰趨によって、賞球としての遊技球を、遊技盤の背後に設けられた遊技球通路を流下せしめて、遊技盤の下方に開口する供給口から払い出す構成であって、
上記遊技球通路を構成する通路部材として、遊技球を貯留する球タンクと、一端で球タンクからの遊技球を受けて他端に向かって遊技球を流すタンクレールと、指令コマンドに応じて所定数の遊技球のみを通過せしめる排出装置に、タンクレールからの遊技球を案内するケースレールとを具備せしめ、これら各通路部材には導電性成分を含有せしめた弾球遊技機において、
遊技球通路の上流部の通路部材としての上記球タンクおよび上記タンクレールよりも、遊技球通路を流下する遊技球の流下速度が速くなり、通路面に対する遊技球の荷重が大きくなる遊技球通路の下流部の通路部材としてのケースレールを、上記球タンクおよび上記タンクレールよりも耐擦傷性が高く、導電性成分を均質に存在せしめた材料により構成するとともに、含有される導電性成分の含有量を上記球タンクおよび上記タンクレールよりも少なくする構成としたことを特徴とする弾球遊技機。
【発明の詳細な説明】
【０００１】
【発明の属する技術分野】
本発明は弾球遊技機に関し、特に遊技球に帯電する静電気の対策に関する。
【０００２】
【従来の技術】
弾球遊技機は、遊技者の操作で遊技盤の盤面上に遊技球を発射し、遊技球の帰趨に応じて賞球として遊技球を払い出す遊技機で、遊技球が所定の入賞口に入球すると賞球を払い出すパチンコ遊技機や、遊技球が入球した入球口の組み合わせに応じて賞球を払い出すアレンジボール機が広く普及している。これらパチンコ遊技機やアレンジボール機には、遊技球として直径約１１ｍｍの鉄製のいわゆるパチンコ球が用いられる。
【０００３】
弾球遊技機には、入賞口等に入球した遊技球の処理や賞球の払い出しの実行を司る装置の他、遊技の進行をより興趣の豊かなものにするべく種々の演出用の表示や音響出力を司る装置を備えている。これらの装置は、今日、マイクロコンピュータ等により構成された電子制御装置により構成されている。弾球遊技の遊技場ではかかる弾球遊技機が横に多数並ぶ遊技機設置島が畝状にいくつもレイアウトされ、多くの遊技客の受け入れが可能である。
【０００４】
ところで、パチンコ遊技機やアレンジボール機に用いられる上記遊技球は、遊技後に景品と引き換えに遊技者から遊技場側に戻されたり、アウト球として回収されたりした後、再び、貸し球や賞球として使用され、遊技場内を循環する。この循環の途中において、遊技球は、遊技機に供される前に、遊技機の背後に遊技球設置島に共通に設置された研磨装置により研磨されて、錆や汚れがとられるようになっており、遊技の進行や賞球の払い出しに支障を来さないようにするとともに、光沢のある遊技球で遊技者が快適に遊技を楽しめるようにしている。
【０００５】
遊技球が再び遊技機に供給される過程において、遊技球と研磨装置の研磨剤との間に、また、遊技球が流通する遊技球通路の通路面との間に、また遊技球同志の間に摩擦が生じ、遊技球の表面に静電気が帯電する。この静電気は、遊技球が遊技機内を通過する際に放電すると、これにより発生するノイズにより、上記電子制御装置の誤動作や故障を引き起こすおそれがあった。
【０００６】
この、静電気によるノイズ対策として、特公平５−５６９９３号公報には、遊技機が流通する遊技機内の遊技球通路を、導電性成分を含有した導電性合成樹脂製とするとともに接地するものがある。この技術では導電性成分としてカーボンの粒子を用いている。
【０００７】
【発明が解決しようとする課題】
ところで、十分な静電気除去効果を得ようとすれば導電性成分の含有量を多くすればよいが、含有量を多くすると、研磨されて光沢を取り戻した遊技球が、遊技機の遊技球通路を流下する途中で、遊技球自身により通路面が磨耗することによってこすりとられた導電性成分により結局汚れてしまい、ひいては遊技客や遊技機自体を汚してしまうおそれがあった。
【０００８】
通路部材に、導電性成分としてカーボン系の極細繊維を含有し、カーボン系極細繊維の先端と遊技球の表面との間でコロナ放電を発生することにより空気中に静電気を放散せしめる除電合成樹脂を用いたものも提案されており（特開平５−３０５１７７号公報）、この技術によれば、カーボンを極細の繊維状とすることで汚れの付着という問題は殆どないが、製造に手間を要する高価な極細繊維を用いる分、導電性成分としてカーボン粒子等の導電性微粒子を用いたものに比して大幅にコストが上昇し、必ずしも実用的ではない。
【０００９】
また、通路部材に硬度が高く耐擦傷性のよい材料を用い、遊技球により通路面が磨耗するのを抑制することも考えられるが、耐擦傷性のよい材料、例えばポリカーボネイト等は高価であり、結局、コストが上昇してしまう。
【００１０】
そこで、本発明は上記実情に鑑みなされたもので、遊技球などへの導電性成分の付着が少なく、しかも、十分な静電気除去効果を得ることのできる弾球遊技機を提供することを目的とする。
【００１１】
【課題を解決するための手段】
請求項１記載の発明では、鉄製の遊技球を遊技盤面上に発射し、発射された遊技球の帰趨によって、賞球としての遊技球を、遊技盤の背後に設けられた遊技球通路を流下せしめて、遊技盤の下方に開口する供給口から払い出す構成であって、
上記遊技球通路を構成する通路部材として、遊技球を貯留する球タンクと、一端で球タンクからの遊技球を受けて他端に向かって遊技球を流すタンクレールと、指令コマンドに応じて所定数の遊技球のみを通過せしめる排出装置に、タンクレールからの遊技球を案内するケースレールとを具備せしめ、これら各通路部材には少なくとも表層部に、導電性成分を含有せしめた弾球遊技機において、
遊技球通路の上流部の通路部材としての上記球タンクおよび上記タンクレールよりも、遊技球通路を流下する遊技球の流下速度が速くなり、通路面に対する遊技球の荷重が大きくなる遊技球通路の下流部の通路部材としてのケースレールほど、上記球タンクおよび上記タンクレールよりも導電性成分の含有量を少なくする。
【００１２】
遊技球は遊技球通路のタンクレールを流下しながら加速され、下流部のケースレールに入る時には流下速度が大きくなっている。ケースレールでは遊技球の流下速度が速いので、遊技球通路の通路面に対する衝撃による荷重や遠心力に基因した通路面に対する荷重は大きい。特にケースレールでは遊技球を排出装置に案内するため、遊技球通路が大きく向きを変え、この時に遊技球通路の通路面に対する荷重が大きなものとなる。これらの荷重が大きいほど、遊技球通路の通路面と遊技球の表面との間の摩擦は大きくなり、遊技球通路の下流部のケースレールでは摩擦は大きい。ケースレールでは、通路面と遊技球の表面との間の摩擦が大きい分、遊技球通路の通路面から導電性成分が特にこすりとられやすいが、導電性成分の含有量を少なくしているので、実際に導電性成分がこすりとられるのを抑制することができ、遊技球通路の通路面からこすりとられる導電性成分は僅少である。
【００１４】
遊技球通路の上流部の球タンクおよびタンクレールは導電性成分の含有量を多くし、高い静電気除去能を有している。したがって、遊技球通路の上流部の球タンクおよびタンクレールに研磨されて多くの静電気を帯びた遊技球が流入しても、良好に静電気を除去する。
【００１５】
そして、遊技球通路の上流の球タンクおよびタンクレールではまだ遊技球の流下速度が遅いから、遊技球通路の通路面に対する衝撃による荷重や遠心力に基因した通路面に対する荷重は小さい。これらの荷重が大きいほど、遊技球通路の通路面と遊技球の表面との間の摩擦は大きいから、遊技球通路の上流部の球タンクおよびタンクレールでは摩擦は小さい。したがって、導電性成分の含有量が多くとも、遊技球通路の通路面からこすりとられる導電性成分は僅少である。
【００１６】
遊技球通路の下流部のケースレールでは導電性成分の含有量が少ないが、遊技球通路の上流部の球タンクおよびタンクレールで静電気は良好に除去されているので、必要な静電気除去能は確保することができる。
【００１８】
これにより、遊技球などへの導電性成分の付着を防止しつつ、十分な静電気除去効果を達成することができる。
【００２１】
請求項２記載の発明では、鉄製の遊技球を遊技盤面上に発射し、発射された遊技球の帰趨によって、賞球としての遊技球を、遊技盤の背後に設けられた遊技球通路を流下せしめて、遊技盤の下方に開口する供給口から払い出す構成であって、
上記遊技球通路を構成する通路部材として、遊技球を貯留する球タンクと、一端で球タンクからの遊技球を受けて他端に向かって遊技球を流すタンクレールと、指令コマンドに応じて所定数の遊技球のみを通過せしめる排出装置に、タンクレールからの遊技球を案内するケースレールとを具備せしめ、これら各通路部材には導電性成分を含有せしめた弾球遊技機において、
遊技球通路の上流部の通路部材としての上記球タンクおよび上記タンクレールよりも、遊技球通路を流下する遊技球の流下速度が速くなり、通路面に対する遊技球の荷重が大きくなる遊技球通路の下流部の通路部材としてのケースレールを、上記球タンクおよび上記タンクレールよりも耐擦傷性が高く、導電性成分を均質に存在せしめた材料により構成する。
【００２２】
遊技球通路の上流の球タンクおよびタンクレールではまだ遊技球の流下速度が遅いから、遊技球通路の通路面と遊技球の表面との間の摩擦は小さい。したがって、遊技球通路の上流部の球タンクおよびタンクレールは耐擦傷性が低くとも、遊技球通路の通路面からこすりとられる導電性成分は僅少である。その分、導電性成分の含有量を増やすことができる。
【００２３】
遊技球通路の下流部のケースレールでは遊技球の流下速度が速いので、遊技球通路の通路面と遊技球の表面との間の摩擦は大きいが、遊技球通路の下流部のケースレールは耐擦傷性が高いので、遊技球通路の通路面からこすりとられる導電性成分は僅少である。その分、導電性成分の含有量を増やすことができる。
【００２４】
これにより、遊技球などへの導電性成分の付着を防止しつつ、十分な静電気除去効果を達成することができる。しかも、一部の通路部材にしか耐擦傷性が高い高価な材料を用いないので、その分、コストを低減することができる。
【００２５】
請求項３記載の発明では、鉄製の遊技球を遊技盤面上に発射し、発射された遊技球の帰趨によって、賞球としての遊技球を、遊技盤の背後に設けられた遊技球通路を流下せしめて、遊技盤の下方に開口する供給口から払い出す構成であって、
上記遊技球通路を構成する通路部材として、遊技球を貯留する球タンクと、一端で球タンクからの遊技球を受けて他端に向かって遊技球を流すタンクレールと、指令コマンドに応じて所定数の遊技球のみを通過せしめる排出装置に、タンクレールからの遊技球を案内するケースレールとを具備せしめ、これら各通路部材には導電性成分を含有せしめた弾球遊技機において、
遊技球通路の上流部の通路部材としての上記球タンクおよび上記タンクレールよりも、遊技球通路を流下する遊技球の流下速度が速くなり、通路面に対する遊技球の荷重が大きくなる遊技球通路の下流部の通路部材としてのケースレールを、上記球タンクおよび上記タンクレールよりも耐擦傷性が高く、導電性成分を均質に存在せしめた材料により構成するとともに、含有される導電性成分の含有量を上記球タンクおよび上記タンクレールよりも少なくする構成とする。
【００２６】
遊技球通路の上流の球タンクおよびタンクレールではまだ遊技球の流下速度が遅いから、遊技球通路の通路面と遊技球の表面との間の摩擦は小さい。したがって、遊技球通路の上流部の球タンクおよびタンクレールは耐擦傷性が低くとも、遊技球通路の通路面からこすりとられる導電性成分は僅少である。その分、導電性成分の含有量を増やすことができる。
【００２７】
遊技球通路の下流部のケースレールでは遊技球の流下速度が速いので、遊技球通路の通路面と遊技球の表面との間の摩擦は大きいが、遊技球通路の下流部のケースレールは耐擦傷性が高く、導電性成分の含有量が少ないので、遊技球通路の通路面からこすりとられる導電性成分をより僅少にできる。
【００２８】
これにより、遊技球などへの導電性成分の付着を防止しつつ、十分な静電気除去効果を達成することができる。しかも、一部の通路部材にしか耐擦傷性が高い高価な材料を用いないので、その分、コストを低減することができる。
【００３１】
【発明の実施の形態】
本発明の好適な実施の形態を図面にしたがって説明する。図１に本発明を適用した弾球遊技機であるパチンコ遊技機の全体を示す。パチンコ遊技機は長方形の外枠１１１と前面枠１１２とを有し、前面枠１１２は、左端上下のヒンジ１１６により外枠１１１に対し水平方向に回動自在に取り付けられており、前面枠１１２と一体化している各部をメンテナンス時等に手前側に出すことが可能である。
パチンコ遊技機は、通常複数列レイアウトされる遊技機設置島に外枠１１１にて取り付けられ、プリペードカードユニットと交互に配置される。
【００３２】
前面枠１１２の内側には、前面枠１１２の高さ方向の上側略２／３の大きさをカバーする金枠１１３が取り付けられ、金枠１１３の左側を支軸にして金枠１１３の内周を縁取るガラス枠１１４が開閉可能に蝶着される。ガラス枠１１４にはガラス板１１５が二重に装填されている。ガラス板１１５の奥側で前面枠１１２の内側には遊技盤２１１が収納され、ガラス板１１５を挟んで遊技者と対向するようになっている。
【００３３】
ガラス板１１５相互の間隔は、外側からの磁石の影響が後述する遊技盤２１１の盤面上の遊技球におよばないように、また、ガラス板１１５の表面を押圧した時に、ガラス板１１５と、上記盤面上からガラス板１１５方向に突出する遊技釘とが接触しないように設定される。
【００３４】
前面枠１１２の内側にはまた、金枠１１３の下方にバスタブ状の上受け皿１２１と下受け皿１２４とが手前側に突出して設けられている。上受け皿１２１の本体部にはエボナイド等の汚れのつきにくいものが用いられる。上受け皿１２１には貸球や賞球を上受け皿１２１に供給するための供給口１２２が開口している。
【００３５】
上受け皿１２１は左右に手前に膨出する膨出部を有し、左側の膨出部の頂部には、上記プリペードカードユニットに挿入されたプリペードカードの残高を表示する残高表示部１３３、遊技球の貸し出しを受ける場合に押下する球貸し釦１３１および精算する場合の精算釦１３２が設けられている。遊技者はプリペードカードの残数を限度として球貸し釦１３１の押下により貸球の供給を受けることができる。
【００３６】
下受け皿１２４は溢れ球排出口１２５が開口しており、上受け皿１２１満杯時の溢れ球が流入するとともに発射し損ねた戻り球の出口となっている。また、遊技者が上受け皿球抜きレバー１２３を操作することにより溢れ球排出口１２５を介して上受け皿１２１と連通するようになっており、上受け皿１２１の遊技球を下受け皿１２４に移動することが可能である。また、下受け皿１２４が遊技球で満杯となった時には、下皿球抜きレバー１２６の操作により下受け皿１２４の底面が開口して下受け皿１２４の下方に排出可能であり、遊技球を別箱に移すことができる。
【００３７】
下受け皿１２４の右側には発射ハンドル１４１が設けられており、遊技者の回動操作で上受け皿１２１から供給される遊技球を遊技盤２１１の盤面上に発射することができる。
【００３８】
次に、図２により遊技盤２１１について説明する。遊技盤２１１の盤面上には、盤面上を略円形に縁取るように盤面に対して垂直に帯状のレール２１２，２１３が設けてある。レール２１２，２１３は図中左側の一部が二重になっており、発射ハンドル１４１の操作で遊技球が外側レール２１３に沿って発射され、レール２１２，２１３で囲まれた盤面の略円形領域内に入る。この略円形領域の中央には遊技盤２１１の開口部に嵌設された画像表示枠２１４内に表示面を手前にして、特別画像表示装置の、ＬＣＤで構成された表示部２３４が設けられる。画像表示枠２１４には、７セグメントのＬＥＤを有する普通画像表示部２３１、各々４つのＬＥＤを有する特別図柄用の保留表示部２３２および普通図柄用の保留表示部２３３が設けられている。画像表示枠２１４の周囲には多数の遊技釘２１５、風車２１６，２１７等が設けられる。
【００３９】
画像表示枠２１４の下方には、第１種始動口としての普通電動役物２２１が設けられる。普通電動役物２２１は、ソレノイドで作動する電動チューリップである。
【００４０】
普通電動役物２２１の下方には大入賞口２２２が設けられる。大入賞口２２２は、アタッカー扉２２２１が電動で作動して幅広の入球口を開閉し、「開」時には多くの入賞を見込むことができる。
【００４１】
また、遊技盤２１１の盤面上には適宜、通常の入賞口２２４が配置される。
【００４２】
また、画像表示枠２２４の左右には普通画像作動ゲート２２３が設けられており、ここを遊技球が通過すると、普通画像表示部２３１の表示画像が変動する。
【００４３】
また、遊技盤２１１の盤面の最下部にはアウト口２２５が開口しており、遊技盤２１１の盤面上に発射された遊技球のうち、上記各入賞口２２１，２２４、大入賞口２２２に入球しなかった遊技球がアウト球として取り込まれる。
【００４４】
一部の風車２１７は、色付き透明プラスティック製とするとともに、その背後に図示しないランプを設けて輝くように構成され、複雑に明滅するサイドランプ２３５とともに遊技中の遊技盤２１１の装飾効果を発揮する。さらに、図示しないスピーカから遊技の進行に合わせて音を発生させて、遊技中の臨場感を高めている。
【００４５】
図３はパチンコ遊技機の背面側を示すもので、背面側には、機構盤１５１とともに、種々の電子制御装置１６１，１６２，１６３，１６４，１６５，１６６等が取り付けられる。電子制御装置１６１は遊技全体の進行を司る主制御装置であり、一方向通信により他の電子制御装置１６２〜１６６に指令コマンドを送信する。電子制御装置１６２は、球貸しや賞球の払い出しを制御するもの（以下、適宜、賞球制御装置という）である。電子制御装置１６３は、遊技球の発射を制御するもの（以下、適宜、発射制御装置という）である。電子制御装置１６４は、表示部２３４に表示される特別図柄等を表示するもの（以下、適宜、特別画像表示装置という）である。電子制御装置１６５は、上記サイドランプ２３５等のランプの発光を制御するもの（以下、適宜、ランプ制御装置という）である。電子制御装置１６６は、スピーカの出力音を制御するもの（以下、適宜、音制御装置という）である。これらの電子制御装置１６１〜１６６はマイクロコンピュータを中心に構成されている。その基本的な機能については公知のものと実質的に同じであり、説明を省略する。
【００４６】
また、賞球払出制御装置１６２の制御で作動する、球切りモータ等が内蔵された排出装置である球貸し装置１７１および賞球払出装置１７２が設けられている。発射制御装置１６３の制御で作動する、発射モータ等が内蔵された遊技球の発射装置１７３が設けられている。また、上記各電子制御装置１６１〜１６６等に電源を供給する電源装置１８１が設けられている。
【００４７】
図４に機構盤１５１の全体を示し、図５にその上面を示す。機構盤１５１は略ロ字状のフレーム部材であり、機構盤１５１には、賞球および貸球を上受け皿１２１に供給する遊技球通路である遊技球供給通路３が形成される。遊技球供給通路３は遊技機設置島の共通に設けられた図示しない補給樋から、各パチンコ遊技機ごとに設けられた球切りカウンタと近接対向する機構盤１５１の上辺部から、上受け皿１２１の供給口１２２の背後にかけて形成される。
【００４８】
図６は遊技球供給通路３の上流部を構成する通路部材を示すもので、遊技球供給通路３の上流部は球タンク４と、タンクレール５とからなり、球タンク４はタンク本体４１とセパレータ４２とからなる。タンク本体４１は、上端開口の細長の箱状体であり、長さが機構盤１５１の幅の１／２強のものである。タンク本体４１は、カーボン繊維を１２重量％含有したＡＢＳ樹脂製である。
【００４９】
タンク本体４１は、機構盤１５１に、長さ方向が遊技機の幅方向となるように、かつ、パチンコ遊技機の背後からみて左寄り（以下、同じ）に取り付けられる。研磨された遊技球を排出する上記球切りカウンタはこの直上位置にくる。タンク本体４１は底部４１３が傾斜して左側ほど深くなっており、遊技球を入れると最深部４１ａに向けて遊技球が自重で自然に移動可能である。最深部４１ａは底部４１３が切り欠かれて底が抜けている。
【００５０】
セパレータ４２は、タンク本体４１の最深部４１ａに上方より嵌め込まれる。
セパレータ４２はタンク本体４１の隅部に沿う略Ｌ字状断面のフレーム部４２１を有し、フレーム部４２１の上端部からタンク本体４１の外方へ突出する係合爪４２２，４２３にてタンク本体４１の側壁４１１、端壁４１２のそれぞれの上端部と係合している。
【００５１】
タンク本体側壁に沿うセパレータフレーム部４２１の第１のフレーム片４２１１から水平に略平板状の底部４２４が伸び、実質的に、タンク本体４１の底部４１３の一部を構成している。ここで、セパレータ底部４２４とタンク本体底部４１３とは同じ高さに設定され、遊技球がスムーズにタンク本体底部４１３からセパレータ底部４２４へと移動するようになっている。
【００５２】
一方、セパレータ底部４２４と、セパレータフレーム部４２１の第２のフレーム片４２１２とのギャップは遊技球１つ分強に設定されており、遊技球が落下可能である。
【００５３】
また、第２のフレーム片４２１２からは、タンク本体４１の長さ方向に、セパレータ底部４２４と交叉するように２つの仕切り壁４２５，４２６が伸びている。
【００５４】
２つの仕切り壁４２５，４２６はタンク本体４１の幅方向に配置されて、この方向にタンク本体最深部４１ａを仕切っている。３つに仕切られたタンク本体最深部４１ａの各部の幅は遊技球１つ分強あり、球タンク４内の遊技球は、仕切り壁４２５，４２６により捌かれ、ひとつずつ余裕をもってセパレータ底部４２４上を通過し、タンクレール５上へとスムーズに落下できるようになっている。
【００５５】
タンクレール５は互いに平行に形成された側壁５１，５２，５３，５４により３列の誘導樋５ａ，５ｂ，５ｃが一体的に設けられた３条式の構成で、長さが機構盤１５１の幅の３／４程度のものである。手前１条が貸球の流下用で球貸し装置１７１に通じており、奥側２条が賞球の流下用で、賞球払出装置１７２に通じている。賞球用の誘導樋５ｂと誘導樋５ｃとを画する側壁５４は、上流側では非形成であり、賞球用の誘導樋５ｂと誘導樋５ｃとは合流している。
【００５６】
貸球用の誘導樋５ａと賞球用の誘導樋５ｂ，５ｃとを画する側壁５３が、球タンク４のセパレータ４２の手前側の仕切り壁４２５の直下にくるように、球タンク４とタンクレール５とが配置され、仕切り壁４２５よりも手前側で球タンク４から落下した遊技球は貸球用の誘導樋５ａの底面に落下し、上記セパレータ仕切り壁４２５よりも奥側で落下した遊技球は賞球用の合流した誘導樋５ｂ，５ｃの底面に落下し、それぞれ、タンクレール５とその下流端で接続するケースレール６に向けて流下する。
【００５７】
図７は遊技球供給通路３の下流部が形成されるケースレール６の正面を示し、図８は図７におけるＡ矢視になるケースレール６の側面を示している。図９はケースレール６の分解斜視図である。ケースレール６は、通路部材である、賞球ケースレール部材６１１、賞球ケースレール部材６１２、貸球ケースレール部材６１３およびケースレールカバー部材６１４を遊技機の前後方向に積層してなり、それぞれに、タンクレール５の貸球誘導樋５ａ、賞球誘導樋５ｂ、賞球誘導樋５ｃに連なる遊技球通路６ａ，６ｂ，６ｃが、賞球ケースレール部材６１２、貸球ケースレール部材６１３を仕切り壁として誘導樋５ａ〜５ｃに１対１に対応して形成される。各遊技球通路６ａ〜６ｃは上から下へＳ字状をなしており、その上流側の第１のカーブから第２のカーブに到る通路部分は、通路部材として球抜きクランク６２およびスイッチレバー６３１，６３２，６３３を含み構成されている（以下、遊技球通路６ａ〜６ｃをＳ字通路６ａ〜６ｃという）。
【００５８】
球抜きクランク６２はＳ字通路６ａ〜６ｃの下側の通路壁を構成する平板部６２１の上流側の端縁部にてクランクピン６８１により回動自在に軸支されている。球抜きクランク平板部６２１はＳ字通路６ａ〜６ｃのそれぞれに共通である。
【００５９】
球抜きクランク６２の上記平板部６２１の上記端縁部からはアーム部６２２が斜め下方に伸びており、アーム部６２２の下方で、シャフト部６４１を中心に上下方向に揺動可能なクランクストッパ６４と係合可能である。クランクストッパ６４が上方位置にあるとき、球抜きクランクアーム部６２２とクランクストッパ６４とは、対向位置に形成された突条６２３，６４２にて係合し、クランクピン６８１を中心とする球抜きクランク６２の回動作動を禁止する。
【００６０】
クランクストッパ６４の揺動は球抜きレバー６６と連動して行われる。球抜きレバー６６は、遊技機の前側から挿入される球抜き棒により下端部を中心に前傾可能なレバー部材であり、常時、立ち上がり方向に図示しないばねの弾発力が作用している。球抜きレバー６６の下端部よりもやや上方からはクランクストッパシャフト部６４１と略平行に係合ピン６６１が突出し、クランクストッパ６４と、上記突条６４２の近傍位置に形成された凹所にて係合している。したがって、上記ばねの弾発力が球抜きレバー係合ピン６６１を介してクランクストッパ６４に常時上向きに作用する。これにより、通常の状態では、球抜きクランク６２とクランクストッパ６４との係合状態は保持される。この状態では、球抜きクランク平板部６２１の上を遊技球が通過しても球抜きクランク平板部６２１は図６の状態を維持し、遊技球はＳ字通路６ａ〜６ｃの第２のカーブに向けて流下する。
【００６１】
一方、上記球抜きレバー６６が上記球抜き棒により前傾すると、球抜きレバー係合ピン６６１の下方変位により、クランクストッパ６４が図６の状態から下方に揺動し、球抜きクランク６２とクランクストッパ６４との係合が解除される。これにより、球抜きクランク平板部６２１の上を遊技球が通過したときに、球抜きクランク６２が遊技球の自重でクランクピン６８１を中心に回動して、通路面が開口し、そこから遊技球が落下する。落下した遊技球は遊技球戻し通路１９４を介して戻り口１９５から回収される。
【００６２】
スイッチレバー６３１〜６３３は球抜きクランク平板部６２１よりも下流にＳ字通路６ａ〜６ｃのそれぞれに１対１に対応して並列して配置され、上流側の端縁部にてスイッチレバーピン６８２により揺動自在に保持されている。スイッチレバー６３１〜６３３の直下には、スイッチレバー６３１〜６３３と１対１に対応して３つの接触スイッチ６５１，６５２，６５３が球切れスイッチとして実装された球切れスイッチ基板６５が設けられ、スイッチレバー６３１〜６３３の上を通過する遊技球が途切れると、その旨が、球切れスイッチ６５１〜６５３の出力信号を入力とする上記主制御装置１６１において知られるようになっている。
【００６３】
また、ケースレール６には、タンクレール５との近接位置に球止め金具６７が設けられている。球止め金具６７は断面く字状に屈曲した金属金具で、球止め金具ピン６８３により保持されており、上流側か下流側かに倒すことが可能である。球止め金具６７の先端部は熊手状に３つに岐かれており、球止め金具６７を上記球止め金具ピン６８３を中心に上流側に倒すと、熊手状の先端部がそれぞれＳ字通路６ａ〜６ｃ内に進入して、タンクレール５からの遊技球をせき止めることが可能である。
【００６４】
Ｓ字通路６ａ〜６ｃの通路部材である上記ケースレール部材６１１〜６１３、ケースレールカバー部材６１４、球抜きクランク６２およびスイッチレバー６３１〜６３３は、カーボンを１０重量％含有したポリカーボネイト製である。
【００６５】
また、球タンク４、タンクレール５およびケースレール６は図示しないアース線によって接地されている。
【００６６】
ケースレール６のＳ字通路６ａ〜６ｃの下流の通路端は、貸球用の１つの通路６ａが連結通路１９１を介して球貸し装置１７１の入口１７１ａと連通しており、賞球用の２つの通路６ｂ，６ｃが賞球払出装置１７２の入口１７２ａと連通している。球貸し装置１７１の遊技球の出口１７１ｂは、また、賞球払出装置１７２の遊技球の出口１７２ｂは排出通路１９２を介して、遊技球溜まり１９３と通じている。遊技球溜まり１９３は上受け皿１２１の供給口１２２と連通している。
【００６７】
球貸し装置１７１は、上記のごとく球貸し釦１３１の操作に応じて賞球制御装置１６２から指令コマンドが出力されると、所定数の遊技球について入口１７１ａから出口１７１ｂへの通過を許容し、貸球として上受け皿１２１に供給する（図４中の矢印は貸球の流下経路を示している）。また、賞球払出装置１７２は、遊技盤２１１の上記各入賞口２２１等に遊技球が入球すれば主制御装置１６１から指令コマンドが出力され、所定数の遊技球について入口１７２ａから出口１７２ｂへの通過を許容し、賞球として上受け皿１２１に払い出す。
【００６８】
本パチンコ遊技機の作動について説明する。球貸し時には、上記のごとく球貸し装置１７１から上受け皿１２１へと順次排出される。貸球の供給が開始されると、貸球用樋５ａ、貸球用Ｓ字通路６ａを、球貸し装置１７１に向かって遊技球が流下していく。一方、入賞があると、入賞の種類に応じて所定数の遊技球が賞球払出装置１７２から上受け皿１２１へと払い出される。賞球の供給が開始されると、賞球用樋５ｂ，５ｃ、賞球用Ｓ字通路６ｂ，６ｃを、賞球払出装置１７２に向かって遊技球が流下していく。
【００６９】
ここで、遊技球供給通路３のうち、球タンク４からタンクレール５に到る範囲では遊技球は緩い傾斜面を加速を伴ってすべりながら流下し、ケースレール６の手前で流下速度が最も速くなる。その状態でケースレール６のＳ字通路６ａ〜６ｃを通過する。したがって、Ｓ字通路６ａ〜６ｃでは、通路面の微小な起伏があると、通路面にに対して、遊技球の運動量に応じた大きな衝撃が加えられる。また、ケースレール６では通路６ａ〜６ｂがＳ字状となっているから、カーブ部において遊技球に遠心力が作用し、通路面に大きな荷重がかかる。このため、遊技球の表面と通路面との間の摩擦は、球タンク４やタンクレール５では小さく、ケースレール６では大きい、ということになる。
【００７０】
さて、遊技球供給通路３の上流部である球タンク４やタンクレール５はカーボンの含有量がケースレール６よりも多く、高い静電気除去能を有している。したがって、上記補給樋から球タンク４に、研磨されて多くの静電気を帯びた遊技球が流入しても、良好に静電気を除去する。
【００７１】
そして、上記のごとく球タンク４やタンクレール５では遊技球の表面と通路面との間の摩擦は小さいから、球タンク４やタンクレール５が、カーボンの含有量が多く、またベース樹脂が耐擦傷性の低いＡＢＳであっても、遊技球供給通路３の通路面から遊技球によりこすりとられるカーボンは僅少である。
【００７２】
一方、ケースレール６では、カーボンの含有量が少ないが、球タンク４やタンクレール５で静電気は良好に除去されているので、必要な静電気除去能は確保することができる。
【００７３】
そして、上記のごとくケースレール６では遊技球の表面と通路面との間の摩擦は大きいが、ケースレール６が、カーボンの含有量が少なく、またベース樹脂が耐擦傷性のよいポリカーボネイトであるので、Ｓ字通路６ａ〜６ｃの通路面から遊技球によりこすれとられるカーボンは僅少である。
【００７４】
これにより、遊技球などへのカーボンの付着を防止しつつ、十分な静電気除去効果を達成することができる。遊技球に帯電した静電気は、球貸し装置１７１や賞球払出装置１７２に到る前に球タンク４、タンクレール５、ケースレール６にて略完全に除去され、制御装置１６１〜１６６等にノイズが侵入するのを防止することができる。
【００７５】
なお、遊技球通路３のケースレール６よりも下流部である、球貸し装置１７１、賞球払出装置１７２、連結通路１９１、遊技球溜まり１９３および遊技球戻し通路１９４等を構成する機構盤１５１等の通路部材は、帯電防止剤を含有する樹脂により構成され、再び遊技球が帯電しないようになっている。
【００７６】
なお、含有するカーボンの量は上記に記載のものに限られるものではなく、適宜実験的に最適な値を求めるのがよい。発明者らの実験によれば、球タンク４やタンクレール５が１１〜１５重量％でケースレール６が７〜１０重量％のとき、良好な結果が得られた。
【００７７】
また、カーボンは、球タンク４等の通路部材の製造前の材料の段階で、ベース樹脂に予め含有せしめて通路部材内部に均質に存在しているが、遊技球と当接する通路部材の表層部にのみ存在するようにしてもよい、例えば、通路部材を導電性成分を含有しない合成樹脂により製造した後、オレフィンやポリエステル等の溶液に導電性成分である導電性金属酸化膜の微粒子を含有するコーティング剤を塗布して、表層部である導電性の塗膜を形成してもよい。
【００７８】
また、球タンク４およびタンクレール５をＡＢＳ、ケースレール６をポリカーボネイトにより構成しているが、要求される汚れの程度や、ケースレール６で除去することが要求される静電気の量が少ない場合はケースレール６をＡＢＳとしてもよい。
【００７９】
また、要求される全体の静電気除去量によっては、カーボンの含有量を球タンク４およびタンクレール５とケースレール６とで同じにしてもよい。ケースレール６を球タンク４およびタンクレール５の材料であるＡＢＳよりも耐擦傷性の高いポリカーボネイトにより構成することで、ケースレール６で遊技球により通路面に加わる荷重が大きくとも、カーボンがこすりとられるのを良好に防止することができる。
【００８０】
また、球タンク４およびタンクレール５のベース樹脂、ケースレール６のベース樹脂についても、コスト等の種々の条件に応じて適宜選択することができ、ケースレール６のベース樹脂の方に、球タンク４およびタンクレール５のベース樹脂よりも耐擦傷性の高いものが用いられていればよい。
【００８１】
また、球タンク４とタンクレール５とではタンクレール５の方が遊技球の流下速度が速くなるから、カーボンの含有量について、球タンク４＞タンクレール５＞ケースレール６となるように、ベース樹脂の耐擦傷性について、球タンク４＜タンクレール５＜ケースレール６となるようにしてよい。あるいは、通路部材の中で、カーボンの含有量やベース樹脂の耐擦傷性が変わるようにしてもよい。例えば、タンクレール５の下流側ほど、カーボンの含有量が少なく、ベース樹脂の耐擦傷性が高くなるようにする。
【００８３】
また、本発明は遊技球通路に賞球のみが流れる現金機や、アレンジボール機にも適用することができる。
【図面の簡単な説明】
【図１】本発明を適用したパチンコ遊技機の全体斜視図である。
【図２】上記パチンコ遊技機の遊技盤の正面図である。
【図３】上記パチンコ遊技機の背面図である。
【図４】上記パチンコ遊技機の機構盤の正面図である。
【図５】上記機構盤の上面図である。
【図６】上記パチンコ遊技機の遊技球通路の一部の分解斜視図である。
【図７】上記パチンコ遊技機の遊技球通路の別の一部の正面図である。
【図８】図７におけるＡ矢視図である。
【図９】上記遊技球通路の別の一部の分解斜視図である。
【符号の説明】
１２１  上受け皿
１２２  供給口
２１１  遊技盤
３  遊技球供給通路（遊技球通路）
４  球タンク
４１  タンク本体（通路部材）
５  タンクレール（通路部材）
６  ケースレール
６１１，６１２  賞球レール部材（通路部材）
６１３  貸球レール部材（通路部材）
６１４  カバー部材（通路部材）
６２  球抜きクランク（通路部材）
６３１，６３２，６３３  スイッチレバー（通路部材）
１７１  球貸し装置（排出装置）
１７２  賞球払出装置（排出装置）
【図１】
0004787922.tif 000002
【図２】
0004787922.tif 000003
【図３】
0004787922.tif 000004
【図４】
0004787922.tif 000005
【図５】
0004787922.tif 000006
【図６】
0004787922.tif 000007
【図７】
0004787922.tif 000008
【図８】
0004787922.tif 000009
【図９】
0004787922.tif 000010